(57)【要約】【課題】プリント配線板の製造過程等において使用できる容易かつ安価な消泡方法および消泡装置を提供することにある。【解決手段】液体の液面上に浮上した泡を除去する消泡方法において、泡を含む液体が液体槽内に溜められることと、液体槽内の液体の液面から上方に離間した位置に消泡網が水平に配置されることと、液体の液面上に浮上した泡がその消泡網に接触して壊れることと、を含んでいる。【選択図】図１
2020168609.tif 000002
【特許請求の範囲】
【請求項１】
液体の液面上に浮上した泡を除去する消泡方法において、
泡を含む液体が液体槽内に溜められることと、
液体槽内の液体の液面から上方に離間した位置に消泡網が水平に配置されることと、
液体の液面上に浮上した泡がその消泡網に接触して壊れることと、
を含んでいる。
【請求項２】
請求項１記載の消泡方法であって、
前記消泡網は、前記液体槽内の所定高さの位置に着脱可能に配置されている。
【請求項３】
請求項１記載の消泡方法であって、
前記消泡網は、前記液体槽内の前記液体の液面上の泡にその泡に対する浮力で浮かんでいる。
【請求項４】
液体の液面上に浮上した泡を除去する消泡装置において、
泡を含む液体を溜める液体槽と、
液体槽内の液体の液面から上方に離間した位置に水平に配置され、液体の液面上に浮上した泡に接触してその泡を壊す消泡網と、
を備えている。
【請求項５】
請求項４記載の消泡装置であって、
前記消泡網は、前記液体槽内の所定高さの位置に着脱可能に配置されている。
【請求項６】
請求項４記載の消泡装置であって、
前記消泡網は、前記液体槽内の前記液体の液面上の泡にその泡に対する浮力で浮かんでいる。
【発明の詳細な説明】
【技術分野】
【０００１】
本発明は、プリント配線板の製造過程等に使用される消泡方法および消泡装置に関する。
【背景技術】
【０００２】
近年のファインピッチ化されたプリント配線板を製造する方法のひとつにセミアディティブ法が知られている。セミアディティブ法とは、絶縁層あるいは絶縁基板上に例えば無電解めっきでシード層を設け、そのシード層をパターン部が開口されためっきレジストで覆い、めっきレジストの開口から露出したシード層部分に電解めっきで回路パターンを形成し、その後にめっきレジストを剥離液で除去してから、回路パターン以外のシード層部分をエッチングで除去して、回路パターンを持つ導体回路層を形成する方法である。
【０００３】
このようなプリント配線板の製造過程では、例えばめっきレジストを剥離液で除去した後のプリント配線板の水洗工程で、基板表面に付着した剥離液が水洗槽内の洗浄水に混入して攪拌されることで泡が発生する場合があり、この泡が水洗槽外に溢れ出る可能性がある。このため水洗槽に泡を除去する消泡装置を設けることが望ましい。
【０００４】
特許文献１は、インキやオイル等の液体に含まれる泡を除去する消泡装置を提案しており、この消泡装置は、液体容器内の液体の液面上から液中まで被せた袋状の網の下端開口部から泡が含まれる液体を網内に供給し、網の下部から網を通して泡を除去した液体を液体容器外に取り出す一方、網の内面に沿って上昇して液面上に出た泡が壊れて出た気体を網の上部から網を通して液体容器外に取り出している。
【０００５】
また特許文献２は、界面活性作用を有する物質が混入した冷却水等の液体を貯蔵するタンク内で、その液体から発生する泡を吸引して除去する消泡装置を提案しており、この消泡装置は、タンク内の液体の液面上にフロートで浮いていて、タンク内の液体の液面上に生じる泡をその液面付近に位置する吸引口から装置内のモータ駆動の羽根車の回転により吸引除去している。
【先行技術文献】
【特許文献】
【０００６】
【特許文献１】特開２００６−３２０８００号公報
【特許文献２】特開２００７−２２２７２１号公報
【発明の概要】
【発明が解決しようとする課題】
【０００７】
しかしながら特許文献１記載の装置は、液面に上昇して壊れた泡から発生した気体を網の上部から取り出すだけであり、泡を積極的に消去する機能は持っていない。また特許文献２記載の装置は、液面付近に位置する吸引口から泡を装置内のモータ駆動の羽根車の回転により吸引して除去するので、装置が複雑かつ高価になる。
【０００８】
本発明は、プリント配線板の製造過程等において使用できる容易かつ安価な消泡方法および消泡装置の提供を目的とする。
【課題を解決するための手段】
【０００９】
本発明の消泡方法は、
液体の液面上に浮上した泡を除去する方法であって、
泡を含む液体が液体槽内に溜められることと、
液体槽内の液体の液面から上方に離間した位置に消泡網が水平に配置されることと、
液体の液面上に浮上した泡がその消泡網に接触して壊れることと、
を含んでいる。
【００１０】
本発明の消泡方法においては、好ましくは、消泡網は、液体槽内の所定高さの位置に着脱可能に配置されており、もしくは、液体槽内の液体の液面上の泡にその泡に対する浮力で浮かんでいる。
【００１１】
また、本発明の消泡装置は、
液体の液面上に浮上した泡を除去する装置であって、
泡を含む液体を溜める液体槽と、
液体槽内の液体の液面から上方に離間した位置に水平に配置され、液体の液面上に浮上した泡に接触してその泡を壊す消泡網と、
を備えている。
【００１２】
本発明の消泡装置においては、好ましくは、消泡網は、液体槽内の所定高さの位置に着脱可能に配置されており、もしくは、液体槽内の液体の液面上の泡にその泡に対する浮力で浮かんでいる。
【図面の簡単な説明】
【００１３】
【図１】（ａ）および（ｂ）は、本発明の消泡方法の一実施形態に用いられる、本発明の消泡装置の一実施形態を示す斜視図および断面図である。
【図２】（ａ）および（ｂ）は、本発明の消泡方法の他の一実施形態に用いられる、本発明の消泡装置の他の一実施形態を示す斜視図および断面図である。
【図３】上記他の実施形態の消泡装置の一変形例を示す斜視図である。
【発明を実施するための形態】
【００１４】
図１（ａ）は、本発明の消泡方法の一実施形態に用いられる、本発明の消泡装置の一実施形態を示す斜視図であり、図１（ｂ）は、その実施形態の消泡装置を示す断面図である。この実施形態の消泡装置は、例えばプリント配線板の製造過程において、例えばめっきレジストを剥離液で除去した後のプリント配線板の水洗工程で、表面に剥離液が付着した基板を浸漬してその剥離液を洗い流す際に用いられるものであり、その剥離液が混入するため泡が発生する、泡を含む液体としての洗浄水Ｌを留める液体槽としての回収水洗槽１と、その回収水洗槽１内に配置される消泡網２と、を具えている。
【００１５】
回収水洗槽１は、図示しない給水管を介して槽内に洗浄水Ｌを給水されて貯留し、その洗浄水Ｌ内に、例えばめっきレジストの剥離液が表面に付着した図示しない基板を浸漬されて、その剥離液を洗浄水Ｌで洗浄除去し、剥離液の洗浄除去後の基板が取り出される、という洗浄工程を所定数の基板について繰り返された後、図示しない排水管を介して槽内の洗浄水Ｌを排水される。この洗浄工程において、剥離液が混入した洗浄水Ｌには比較的多くの泡が発生し、その泡の上面ＢＳは、消泡網２がない通常の場合、水面ＬＳの上方の、水面ＬＳから概ね所定の高さ、例えば水面ＬＳから最大２００ｍｍの高さに達する。
【００１６】
消泡網２は、基板の洗浄工程では洗浄水に対する基板の浸漬および取り出しを妨げないよう取り外しておけるように、回収水洗槽１に対し着脱可能に配置されている。消泡網２は、例えばステンレス等の金属製の網本体２ａと、その網本体２ａの外枠に設けられるとともに上端部の折り返し部で回収水洗槽１の上端縁に掛合する、これも例えばステンレス等の金属製の板状の複数のフック２ｂとを有しており、網本体２ａは、回収水洗槽１内の洗浄水Ｌの水面ＬＳから上方に所定距離、例えば５ｍｍ離間して、通常位置する泡の上面ＢＳよりも低い高さに水平に位置する。
【００１７】
この実施形態の消泡装置を用いた上記実施形態の消泡方法は、洗浄水Ｌの水面ＬＳ上に浮上した泡を除去する方法であって、泡を含む洗浄水Ｌが回収水洗槽１内に溜められることと、回収水洗槽１内の洗浄水Ｌの水面ＬＳから上方に離間した位置に消泡網２の網本体２ａが水平に配置されることと、洗浄水Ｌの水面ＬＳ上に浮上した泡がその消泡網２の網本体２ａに接触して壊れることと、を含んでいる。
【００１８】
ここで、泡が網本体２ａに接触して壊れるのは、互いに隣接する泡と泡との間の泡膜が互いに１２０度の角度を持つと泡が安定な状態になるのに対し、網本体２ａに接触した泡膜が本体２ａへの付着によりその１２０度の角度を維持できなくなって、泡が不安定な状態になるからと推定される。
【００１９】
従って、この実施形態の消泡装置を用いたこの実施形態の消泡方法によれば、プリント配線板の製造過程において、安価な構成により容易に泡を消去して除去することができる。
【００２０】
図２（ａ）は、本発明の消泡方法の他の一実施形態に用いられる、本発明の消泡装置の他の一実施形態を示す斜視図であり、図２（ｂ）は、その実施形態の消泡装置を示す断面図である。この実施形態の消泡装置も先の実施形態と同様、例えばプリント配線板の製造過程において、例えばめっきレジストを剥離液で除去した後のプリント配線板の水洗工程で、表面に剥離液が付着した基板を浸漬してその剥離液を洗い流す際に用いられるものであり、その剥離液が混入するため泡が発生する、泡を含む液体としての洗浄水Ｌを留める液体槽としての回収水洗槽１と、その回収水洗槽１内に配置される消泡網２と、を具えている。
【００２１】
回収水洗槽１は先の実施形態におけるものと大差がないので、以下に消泡網２について主に説明する。この実施形態における消泡網２は、例えばステンレス等の金属製の網本体２ａと、その網本体２ａの外枠に設けられる、例えばポリプロピレン等の軽い樹脂製の細長い袋状の複数のフロート２ｃとを有しており、泡に対するそのフロート２ｃの浮力により、網本体２ａは、回収水洗槽１内の洗浄水Ｌの水面ＬＳから上方に所定距離、例えば５ｍｍ離間して、通常位置する泡の上面ＢＳよりも低い高さに水平に位置する。なお、フロート２ｃは、袋状の複数のものに代えて、網本体２ａの外枠の外側あるいは下側に重なる枠状のものとしても良い。
【００２２】
この実施形態の消泡装置を用いたこの実施形態の消泡方法は、洗浄水Ｌの水面ＬＳ上に浮上した泡を除去する方法であって、先の実施形態の消泡方法と同様、泡を含む洗浄水Ｌが回収水洗槽１内に溜められることと、回収水洗槽１内の洗浄水Ｌの水面ＬＳから上方に離間した位置に消泡網２の網本体２ａが水平に配置されることと、洗浄水Ｌの水面ＬＳ上に浮上した泡がその消泡網２の網本体２ａに接触して壊れることと、を含んでいる。
【００２３】
従って、この実施形態の消泡装置を用いたこの実施形態の消泡方法によっても、プリント配線板の製造過程において、安価な構成により容易に泡を消去して除去することができる。
【００２４】
図３は、上記他の実施形態の消泡装置の消泡網２の一変形例を示す斜視図である。この変形例では、消泡網２の網本体２ａは軽い樹脂製であり、泡に対する浮力を有している。樹脂製の網本体２ａは、例えばステンレス等の金属製の枠状および筋交い状の補強材２ｄで補強されており、その補強材２ｄには、網本体２ａが回収水洗槽１内の洗浄水Ｌの水面ＬＳから上方に離間するとともに泡の表面ＢＳから適度に沈んだ位置で泡内に浮かぶように、例えばステンレス等の金属製の複数の錘２ｅが吊り下げられている。
【００２５】
この変形例の消泡網２を具える上記実施形態の消泡装置を用いたこの実施形態の消泡方法によっても、プリント配線板の製造過程において、安価な構成により容易に泡を消去して除去することができる。
【００２６】
以上、図示例に基づき説明したが、この発明の消泡方法および消泡装置は上記の例に限定されるものでなく、特許請求の範囲の記載範囲内で適宜変更し得るものであり、例えばこの発明の消泡方法および消泡装置は、プリント配線板の他の製造過程や、プリント配線板の製造過程以外の用途に用いても良い。
【００２７】
また、消泡網２の構成も上記の例に限定されず、他の材料や構成を用いても良い。
【符号の説明】
【００２８】
１  回収水洗槽
２  消泡網
２ａ  網本体
２ｂ  フック
２ｃ  フロート
２ｄ  補強材
２ｅ  錘
ＢＳ  泡の上面
Ｌ  洗浄水
ＬＳ  水面
【図１】
2020168609.tif 000003
【図２】
2020168609.tif 000004
【図３】
2020168609.tif 000005